(57)【特許請求の範囲】
【請求項１】
情報配信装置から無線区間を介してサービスエリア内の特定多数の無線端末に対してマルチキャスト情報を配信するマルチキャスト配信サービスにおける情報の配信制御方法において、
無線端末は、情報配信装置から配信されたマルチキャスト情報を予め蓄積し、その蓄積されたマルチキャスト情報のうち、ユーザにて利用されたコンテンツの識別を行うための識別情報を当該無線端末にて決定されたタイミングにて情報配信装置に通知し、
情報配信装置は、無線端末から通知された上記識別情報に基づいて利用が見込まれるマルチキャスト情報の選別をし、
ユーザが利用を希望するコンテンツが前記無線端末に蓄積されていない場合に前記無線端末から要求されるマルチキャストデータの配信に基づいて、該選別したマルチキャスト情報を無線端末に配信するようにしたマルチキャスト配信サービスにおける配信制御方法。
【請求項２】
請求項１記載のマルチキャスト配信サービスにおける配信制御方法において、
上記識別情報は、上記マルチキャスト情報に含まれるコンテンツの識別を行うための識別子及びそのコンテンツが属するグループの識別を行うための識別子の少なくとも１つの識別子となるマルチキャスト配信サービスにおける配信制御方法。
【請求項３】
請求項１記載のマルチキャスト配信サービスにおける配信制御方法において、
上記マルチキャスト情報は、上記識別情報及びコンテンツの容量に関する情報及び課金に関する情報及びコンテンツの鮮度に関する情報の少なくとも１つを含むマルチキャスト配信サービスにおける配信制御方法。
【請求項４】
請求項１記載のマルチキャスト配信サービスにおける配信制御方法において、
無線端末は、情報配信装置から配信されたマルチキャスト情報を蓄積し、
その蓄積したマルチキャスト情報に含まれているコンテンツを利用する前及び利用した後の少なくとも一方のタイミングにて上記識別情報を情報配信装置に通知するようにしたマルチキャスト配信サービスにおける配信制御方法。
【請求項５】
請求項４記載のマルチキャスト配信サービスにおける配信制御方法において、
情報配信装置は、無線端末から通知された上記識別情報の統計をとり、その統計で得られた値を基に無線端末での利用頻度が高いとみなし得るマルチキャスト情報を選別するようにしたマルチキャスト配信サービスにおける配信制御方法。
【請求項６】
情報配信装置から無線区間を介してサービスエリア内の特定多数の無線端末に対してマルチキャスト情報を配信するマルチキャスト配信サービスにおける情報の配信制御方法において、
無線端末は、情報配信装置から配信されたマルチキャスト情報を蓄積し、
その蓄積したマルチキャスト情報に含まれているコンテンツの識別を行うための識別子及びそのコンテンツが属するグループの識別を行うための識別子の少なくとも１つの識別子を、ユーザにて利用されたコンテンツの識別を行うための識別情報として予め登録し、
その登録された当該識別情報を所定タイミングにて情報配信装置に通知し、
情報配信装置は、無線端末から通知された上記識別情報に基づいて利用が見込まれるマルチキャスト情報の選別を行い、ユーザが利用を希望するコンテンツが前記無線端末に蓄積されていない場合に前記無線端末から要求されるマルチキャストデータの配信に基づいて、該選別されたマルチキャスト情報を無線端末に配信するようにしたマルチキャスト配信サービスにおける配信制御方法。
【請求項７】
情報配信装置から無線区間を介してサービスエリア内の特定多数の無線端末に対してマルチキャスト情報を配信するマルチキャスト配信サービスにおける情報の配信制御方法において、
情報配信装置は、無線端末に配信すべきマルチキャスト情報に含まれるコンテンツの識別を行うための識別子及びそのコンテンツが属するグループの識別を行うための識別子の少なくとも１つの識別子を、ユーザにて利用されたコンテンツの識別を行うための識別情報として登録し、
その登録された上記識別情報に基づいて利用が見込まれるマルチキャスト情報の選別を行い、ユーザが利用を希望するコンテンツが前記無線端末に蓄積されていない場合に前記無線端末から要求されるマルチキャストデータの配信に基づいて、該選別されたマルチキャスト情報を無線端末に配信するようにしたマルチキャスト配信サービスにおける配信制御方法。
【請求項８】
請求項１又は６又は７記載のマルチキャスト配信サービスにおける配信制御方法において、
情報配信装置は、配信するマルチキャスト情報に含まれるコンテンツ毎または該コンテンツを含むマルチキャスト情報毎に暗号化を行い、
上記無線端末から通知された上記識別情報に対応した鍵に係る情報を生成し、
その生成した鍵に係る情報を当該暗号化された情報を復号するための鍵として無線端末に通知するようにしたマルチキャスト配信サービスにおける配信制御方法。
【請求項９】
請求項８記載のマルチキャスト配信サービスにおける配信制御方法において、
上記情報配信装置は、上記生成した鍵に係る情報を所定時間経過後に無効にするマルチキャスト配信サービスにおける配信制御方法。
【請求項１０】
請求項８記載のマルチキャスト配信サービスにおける配信制御方法において、
上記情報配信装置は、上記生成した鍵に係る情報を無効にさせる制御信号に従って該生成した鍵に係る情報を無効にするマルチキャスト配信サービスにおける配信制御方法。
【請求項１１】
請求項１０記載のマルチキャスト配信サービスにおける配信制御方法において、
上記情報配信装置は、無線端末から上記識別情報が通知された時間及び上記暗号化された情報の復号を行うための鍵に係る情報を無線端末に通知した時間の少なくとも1つの時間に基づいて無線端末で利用されたマルチキャスト情報の課金を行うようにしたマルチキャスト配信サービスにおける配信制御方法。
【請求項１２】
請求項１０記載のマルチキャスト配信サービスにおける配信制御方法において、
上記情報配信装置は、マルチキャスト情報に含まれる課金情報に基づいて無線端末で利用されたマルチキャスト情報の課金を行うようにしたマルチキャスト配信サービスにおける配信制御方法。
【請求項１３】
請求項１２記載のマルチキャスト配信サービスにおける配信制御方法において、
上記課金情報は、課金形態に関する情報、課金するタイミングに関する情報、利用料金に関する情報の少なくとも１つを含むマルチキャスト配信サービスにおける配信制御方法。
【請求項１４】
請求項１２記載のマルチキャスト配信サービスにおける配信制御方法において、
上記情報配信装置は、上記課金情報に基づいて課金を行う際に、マルチキャスト情報に含まれるコンテンツの鮮度に関する情報を参照し、
その参照によって得られるコンテンツの公開日時に対応付けられた料金を表す情報に基づいて無線端末で利用されたマルチキャスト情報の課金を行うようにしたマルチキャスト配信サービスにおける配信制御方法。
【請求項１５】
請求項１０記載のマルチキャスト配信サービスにおける配信制御方法において、
情報配信装置は、マルチキャスト情報を無線端末に配信する際に、電波伝搬条件に基づいて該マルチキャスト情報を配信するか否か決定するようにしたマルチキャスト配信サービスにおける配信制御方法。
【請求項１６】
請求項１０記載のマルチキャスト配信サービスにおける配信制御方法において、
情報配信装置は、マルチキャスト情報を無線端末に配信する際に、無線リソースの空き具合に応じて該マルチキャスト情報を配信するか否か決定するようにしたマルチキャスト配信サービスにおける配信制御方法。
【請求項１７】
請求項１５又は１６記載のマルチキャスト配信サービスにおける配信制御方法において、
上記情報配信装置は、マルチキャスト情報を配信する際に、上記電波伝搬条件及び無線リソースの空き具合に応じて定められる伝送速度に従って上記マルチキャスト情報の配信順序を決定するようにしたマルチキャスト配信サービスにおける配信制御方法。
【請求項１８】
情報配信装置から無線区間を介してサービスエリア内の特定多数の無線端末に対してマルチキャスト情報を配信するマルチキャスト配信サービスにおける情報の配信制御システムにおいて、
無線端末は、情報配信装置から配信されたマルチキャスト情報を予め蓄積するマルチキャスト情報記憶手段と、
その蓄積されたマルチキャスト情報のうち、ユーザにて利用されたコンテンツの識別を行うための識別情報を当該無線端末にて決定されたタイミングにて情報配信装置に通知する識別情報通知手段と、
情報配信装置は、無線端末から通知された上記識別情報に基づいて利用が見込まれるマルチキャスト情報を選別する配信情報選別手段と、
ユーザが利用を希望するコンテンツが前記無線端末に蓄積されていない場合に前記無線端末から要求されるマルチキャストデータの配信に基づいて、該選別したマルチキャスト情報を無線端末に配信するマルチキャスト情報配信手段と
を有するマルチキャスト配信サービスにおける配信制御システム。
【請求項１９】
請求項１８記載のマルチキャスト配信サービスにおける配信制御システムにおいて、
上記マルチキャスト情報に含まれるコンテンツの識別を行うための識別情報及びコンテンツの容量に関する情報及び課金に関する情報及びコンテンツの鮮度に関する情報の少なくとも１つを含むマルチキャスト配信サービスにおける配信制御システム。
【請求項２０】
請求項１８記載のマルチキャスト配信サービスにおける配信制御システムにおいて、
上記識別情報は、上記マルチキャスト情報に含まれたコンテンツの識別を行うための識別子及びそのコンテンツが属するグループの識別を行うための識別子の少なくとも１つの識別子となるマルチキャスト配信サービスにおける配信制御システム。
【請求項２１】
請求項１８記載のマルチキャスト配信サービスにおける配信制御システムにおいて、
無線端末は、情報配信装置から配信されたマルチキャスト情報を蓄積するマルチキャスト情報蓄積手段と、
その蓄積したマルチキャスト情報に含まれているコンテンツを利用する前及び利用した後の少なくとも一方のタイミングにて上記識別情報を情報配信装置に通知する識別情報通知設定手段と
を有するマルチキャスト配信サービスにおける配信制御システム。
【請求項２２】
請求項２１記載のマルチキャスト配信サービスにおける配信制御システムにおいて、
情報配信装置は、無線端末から通知された上記識別情報の統計をとる識別情報統計手段と、
その識別情報統計手段にて得られた値を基に無線端末での利用頻度が高いとみなし得るマルチキャスト情報を選別する統計結果利用手段とを有するマルチキャスト配信サービスにおける配信制御システム。
【請求項２３】
情報配信装置から無線区間を介してサービスエリア内の特定多数の無線端末に対してマルチキャスト情報を配信するマルチキャスト配信サービスにおける情報の配信制御システムにおいて、
無線端末は、
情報配信装置から配信されたマルチキャスト情報を蓄積するマルチキャスト情報蓄積手段と、
その蓄積したマルチキャスト情報に含まれているコンテンツの識別を行うための識別子及びそのコンテンツが属するグループの識別を行うための識別子の少なくとも１つの識別子を、ユーザにて利用されたコンテンツの識別を行うための識別情報として予め登録する識別情報予約手段と、
その識別情報予約手段にて登録された当該識別情報を所定タイミングにて情報配信装置に通知する識別情報通知手段と
を有し、
情報配信装置は、
無線端末から通知された上記識別情報に基づいて利用が見込まれるマルチキャスト情報の選別を行う配信情報選別手段と、
ユーザが利用を希望するコンテンツが前記無線端末に蓄積されていない場合に前記無線端末から要求されるマルチキャストデータの配信に基づいて、該配信情報選別手段にて選別されたマルチキャスト情報を無線端末に配信するマルチキャスト情報配信手段と
を有するマルチキャスト配信サービスにおける配信制御システム。
【請求項２４】
情報配信装置から無線区間を介してサービスエリア内の特定多数の無線端末に対してマルチキャスト情報を配信するマルチキャスト配信サービスにおける情報の配信制御システムにおいて、
情報配信装置は、
無線端末に配信すべきマルチキャスト情報に含まれるコンテンツの識別を行うための識別子及びそのコンテンツが属するグループの識別を行うための識別子の少なくとも１つの識別子を、ユーザにて利用されたコンテンツの識別を行うための識別情報として登録する識別情報自己登録手段と、
該識別情報自己登録手段にて登録された上記識別情報に基づいて利用が見込まれるマルチキャスト情報の選別を行う配信情報選別手段と、
ユーザが利用を希望するコンテンツが前記無線端末に蓄積されていない場合に前記無線端末から要求されるマルチキャストデータの配信に基づいて、該配信情報選別手段にて選別されたマルチキャスト情報を無線端末に配信するマルチキャスト情報配信手段と
を有するマルチキャスト配信サービスにおける配信制御システム。
【請求項２５】
請求項１８又は２３又は２４記載のマルチキャスト配信サービスにおける配信制御システムにおいて、
情報配信装置は、
配信するマルチキャスト情報に含まれるコンテンツ毎または該コンテンツを含むマルチキャスト情報毎に暗号化を行う配信情報暗号化手段と、
上記無線端末から通知された上記識別情報に対応した鍵に係る情報を生成する鍵生成手段と、
該鍵生成手段にて生成した鍵に係る情報を当該暗号化された情報を復号するための鍵として無線端末に通知する鍵情報通知手段と
を有するマルチキャスト配信サービスにおける配信制御システム。
【請求項２６】
請求項２５記載のマルチキャスト配信サービスにおける配信制御システムにおいて、
上記情報配信装置は、
上記生成した鍵に係る情報を所定時間経過後に無効にする第1の鍵無効手段を有するマルチキャスト配信サービスにおける配信制御システム。
【請求項２７】
請求項２５記載のマルチキャスト配信サービスにおける配信制御システムにおいて、
上記情報配信装置は、
上記生成した鍵に係る情報を無効にさせる制御信号に従って該生成した鍵に係る情報を無効にする第２の鍵無効手段を有するマルチキャスト配信サービスにおける配信制御システム。
【請求項２８】
請求項２７記載のマルチキャスト配信サービスにおける配信制御システムにおいて、
上記情報配信装置は、
無線端末から上記識別情報が通知された時間及び上記暗号化された情報の復号を行うための鍵に係る情報を無線端末に通知した時間の少なくとも1つの時間に基づいて無線端末で利用されたマルチキャスト情報の課金を行う第一の課金処理手段
を有するマルチキャスト配信サービスにおける配信制御システム。
【請求項２９】
請求項２７記載のマルチキャスト配信サービスにおける配信制御システムにおいて、
上記情報配信装置は、
マルチキャスト情報に含まれる課金情報に基づいて無線端末で利用されたマルチキャスト情報の課金を行う第二の課金処理手段
を有するマルチキャスト配信サービスにおける配信制御システム。
【請求項３０】
請求項２９記載のマルチキャスト配信サービスにおける配信制御システムにおいて、
上記課金情報は、課金形態に関する情報、課金するタイミングに関する情報、利用料金に関する情報の少なくとも１つを含むマルチキャスト配信サービスにおける配信制御システム。
【請求項３１】
請求項２９記載のマルチキャスト配信サービスにおける配信制御システムにおいて、
上記情報配信装置は、
上記課金情報に基づいて課金を行う際に、マルチキャスト情報に含まれるコンテンツの鮮度に関する情報を参照し、その参照によって得られるコンテンツの公開日時に対応付けられた料金を表す情報に基づいて無線端末で利用されたマルチキャスト情報の課金を行う第三の課金処理手段
を有するマルチキャスト配信サービスにおける配信制御システム。
【請求項３２】
請求項２７記載のマルチキャスト配信サービスにおける配信制御システムにおいて、
情報配信装置は、
マルチキャスト情報を無線端末に配信する際に、電波伝搬条件に基づいて該マルチキャスト情報を配信するか否か決定する第一の配信決定手段
を有するマルチキャスト配信サービスにおける配信制御システム。
【請求項３３】
請求項２７記載のマルチキャスト配信サービスにおける配信制御システムにおいて、
情報配信装置は、マルチキャスト情報を無線端末に配信する際に、無線リソースの空き具合に応じて該マルチキャスト情報を配信するか否か決定する第二の配信決定手段
を有するマルチキャスト配信サービスにおける配信制御システム。
【請求項３４】
請求項３２又は３３記載のマルチキャスト配信サービスにおける配信制御システムにおいて、
上記情報配信装置は、マルチキャスト情報を配信する際に、上記電波伝搬条件及び無線リソースの空き具合に応じて定められる伝送速度に従って上記マルチキャスト情報の配信順序を決定する配信順序制御手段
を有するマルチキャスト配信サービスにおける配信制御システム。
【請求項３５】
無線区間を介してサービスエリア内の無線端末に対してマルチキャスト情報を配信する情報配信装置に設けられ、情報の配信制御を行う配信制御装置において、
上記配信制御装置は、無線端末から通知された識別情報に基づいて無線端末にて利用が見込まれるマルチキャスト情報を選別する配信情報選別手段と、
ユーザが利用を希望するコンテンツが前記無線端末に蓄積されていない場合に前記無線端末から要求されるマルチキャストデータの配信に基づいて、該選別したマルチキャスト情報を無線端末に配信するマルチキャスト情報配信手段と
を有する配信制御装置。
【請求項３６】
請求項３５記載の配信制御装置において、
上記配信制御装置は、
無線端末から通知された上記識別情報の統計をとる識別情報統計手段と、
その識別情報統計手段にて得られた値を基に無線端末での利用頻度が高いとみなし得るマルチキャスト情報を選別する統計結果利用手段と
を有する配信制御装置。
【請求項３７】
請求項３５又は３６記載の配信制御装置において、
上記配信制御装置は、
無線端末に配信すべきマルチキャスト情報に含まれるコンテンツの識別を行うための識別子及びそのコンテンツが属するグループの識別を行うための識別子の少なくとも１つの識別子を識別情報として登録する識別情報自己登録手段と、
該識別情報自己登録手段にて登録された上記識別情報に基づいてマルチキャスト情報の選別を行う配信情報選別手段と、
該配信情報選別手段にて選別されたマルチキャスト情報を無線端末に配信するマルチキャスト情報配信手段と
を有する配信制御装置。
【請求項３８】
請求項３５乃至３７いずれか一項記載の配信制御装置において、
上記配信制御装置は、
配信するマルチキャスト情報に含まれるコンテンツ毎または該コンテンツを含むマルチキャスト情報毎に暗号化を行う配信情報暗号化手段と、
上記無線端末から通知された上記識別情報に対応した鍵に係る情報を生成する鍵生成手段と、
該鍵生成手段にて生成した鍵に係る情報を当該暗号化された情報を復号するための鍵として無線端末に通知する鍵情報通知手段と
を有する配信制御装置。
【請求項３９】
請求項３８記載の配信制御装置において、
上記配信制御装置は、
上記生成した鍵に係る情報を所定時間経過後に無効にする第1の鍵無効手段を有する配信制御装置。
【請求項４０】
請求項３９記載の配信制御装置において、
上記配信制御装置は、
上記生成した鍵に係る情報を無効にさせる制御信号に従って該生成した鍵に係る情報を無効にする第２の鍵無効手段を有する配信制御装置。
【請求項４１】
請求項３８乃至４０いずれか一項記載の配信制御装置において、
上記配信制御装置は、
無線端末から上記識別情報が通知された時間及び上記暗号化された情報の復号を行うための鍵に係る情報を無線端末に通知した時間の少なくとも1つの時間に基づいて無線端末で利用されたマルチキャスト情報の課金を行う第一の課金処理手段
を有する配信制御装置。
【請求項４２】
請求項４１記載の配信制御装置において、
上記配信制御装置は、マルチキャスト情報に含まれる課金情報に基づいて無線端末で利用されたマルチキャスト情報の課金を行う第二の課金処理手段を有する配信制御装置。
【請求項４３】
請求項４２記載の配信制御装置において、
上記情報配信装置は、
上記課金情報に基づいて課金を行う際に、マルチキャスト情報に含まれるコンテンツの鮮度に関する情報を参照し、その参照によって得られるコンテンツの公開日時に対応付けられた料金を表す情報に基づいて無線端末で利用されたマルチキャスト情報の課金を行う第三の課金処理手段
を有する配信制御装置。
【請求項４４】
請求項３５乃至４３いずれか一項記載の配信制御装置において、
上記配信制御装置は、
マルチキャスト情報を無線端末に配信する際に、電波伝搬条件に基づいて該マルチキャスト情報を配信するか否か決定する第一の配信決定手段
を有する配信制御装置。
【請求項４５】
請求項３５乃至４４いずれか一項記載の配信制御装置において、
上記配信制御装置は、
マルチキャスト情報を無線端末に配信する際に、無線リソースの空き具合に応じて該マルチキャスト情報を配信するか否か決定する第二の配信決定手段
を有する配信制御装置。
【請求項４６】
請求項３５乃至４５いずれか一項記載の配信制御装置において、
上記配信制御装置は、
マルチキャスト情報を配信する際に、上記電波伝搬条件及び無線リソースの空き具合に応じて定められる伝送速度に従って上記マルチキャスト情報の配信順序を決定する配信順序制御手段
を有する配信制御装置。
【請求項４７】
情報配信装置から無線区間を介して配信されるマルチキャスト情報を受信する無線端末において、
上記無線端末は、
情報配信装置から配信されたマルチキャスト情報を予め蓄積するマルチキャスト情報記憶手段と、
その蓄積されたマルチキャスト情報のうち、ユーザにて利用されたコンテンツの識別を行うための識別情報を当該無線端末にて決定されたタイミングにて情報配信装置に通知する識別情報通知手段
を有し、
通知された上記識別情報に基づいて、情報配信装置により選別された利用が見込まれるマルチキャスト情報が、ユーザが利用を希望するコンテンツが前記無線端末に蓄積されていない場合に前記無線端末から要求されるマルチキャストデータの配信に基づいて、配信されることを特徴とする無線端末。
【請求項４８】
請求項４７記載の無線端末において、
無線端末は、
情報配信装置から配信されたマルチキャスト情報を蓄積するマルチキャスト情報蓄積手段と、
その蓄積したマルチキャスト情報に含まれているコンテンツを利用する前及び利用した後の少なくとも一方のタイミングにて上記識別情報を情報配信装置に通知する識別情報通知設定手段と
を有する無線端末。
【請求項４９】
請求項４７又は４８記載の無線端末において、
無線端末は、
情報配信装置から配信されたマルチキャスト情報を蓄積するマルチキャスト情報蓄積手段と、
その蓄積したマルチキャスト情報に含まれているコンテンツの識別を行うための識別子及びそのコンテンツが属するグループの識別を行うための識別子の少なくとも１つの識別子を識別情報として予め登録する識別情報予約手段と、
その識別情報予約手段にて登録された当該識別情報を所定タイミングにて情報配信装置に通知する識別情報通知手段と
を有する無線端末。
【発明の詳細な説明】
【０００１】
【発明の属する技術分野】
本発明は、マルチキャスト配信サービスにおける配信制御方法及びシステムに係り、詳しくは、マルチキャスト情報の配信サービスエリア内の無線端末に対して配信制御装置から無線区間を介してマルチキャスト情報の配信制御を行う配信制御方法及びシステムに関する。
【０００２】
また、本発明は、そのようなマルチキャスト配信サービスにおける配信制御方法に従って処理を行う配信制御装置及び無線端末に関する。
【０００３】
【従来の技術】
近年のインターネットの急速な普及に伴い、ネットワークを流れるデータ量が急増している。これに対処するため、特定多数のユーザへの同一データ、所謂マルチキャストデータを一度に配信することのできるＩＰ（Internet Protocol）マルチキャストが普及しつつある。一方、移動通信システムとインターネットが接続されることでブラウザフォン等が普及し、移動環境でもＩＰマルチキャストサービスが受けられる環境が整いつつある。これに加えて、移動通信では、情報配信のための伝送路に無線が用いられるので伝送容量が限られてしまう。そのため、マルチキャストデータの効率的な配信が可能となるマルチキャストは必須な技術になりつつある。
【０００４】
このマルチキャストデータの配信サービスを提供する従来のマルチキャストシステムは、例えば、図１０に示すように構成される。
【０００５】
図１０において、従来のマルチキャストシステムは、マルチキャストデータをインターネット４００を経由し基幹網３００から受信して自サービスエリアＳＡ２内の無線端末Ａ２００〜無線端末Ｃ２２０に対してマルチキャストデータ配信を行う無線基地局１００（ＢＳ：Base Station）と、無線基地局１００から配信されるマルチキャストデータを受信する複数の無線端末Ａ２００〜無線端末Ｃ２２０とで構成されている。
【０００６】
無線基地局１００は、例えば、無線端末Ａ２００からマルチキャストデータの配信要求を受信すると、配信要求のあったマルチキャストデータを基幹網３００経由でインターネット４００から送信してもらい、これをマルチキャスト配信する。マルチキャストデータは、上述のようにインターネット４００から送信してもらう場合の他、通信事業者がマルチキャストデータを蓄積したサーバを基幹網３００上に設置し、マルチキャストサービスを提供する場合もある。また、無線基地局１００から配信されるマルチキャストデータは、マルチキャストパケット（この場合、マルチキャストデータＡ〜Ｈに相当）としてＩＰ化されて配信される（▲１▼）ようになっている。
【０００７】
続いて、従来のマルチキャストシステムで用いられている無線基地局１００の装置構成例を図５に、また無線端末Ａ２００〜無線端末Ｃ２２０の装置構成例を図６に示す。尚、各無線端末Ａ２００〜無線端末Ｃ２２０の装置構成は同一であるので、ここでは、無線端末Ａ２００を代表に説明を行う。
【０００８】
図５において、従来の無線基地局１００は、送受信装置１０１、無線リンク制御装置１０２、ネットワーク制御装置１０３、ＡＴＭ(Asynchronous Transfer Mode)送受信装置１０４、ＡＡＬ(ATM Adaptation Layer)制御装置１０５で構成される。一方、無線端末Ａ２００は、送受信装置２０１、無線リンク制御装置２０２、ネットワーク制御装置２０３で構成される（図６参照）。
【０００９】
無線基地局１００は、基幹網３００からのディジタル信号（マルチキャストデータがディジタル化された信号を含む）をＡＴＭ送受信装置１０４及びＡＡＬ制御装置１０５で受信処理し、インターネットプロトコルで規定されるＩＰパケットへの復元を行う。このＩＰパケットは、１対１通信を行うためのユニキャスト用、１対特定多数の通信を行うためのマルチキャスト用、及び１対不特定多数の通信を行うブロードキャスト用に分類できる。ユニキャスト用のＩＰパケットには、ＩＰアドレスと呼ばれる送信元アドレスと宛先アドレスが付加されている。また、マルチキャスト用の場合は、宛先アドレスの代わりに、このＩＰパケットがマルチキャスト用のパケットである旨を示す符号と、マルチキャストデータの配信を受けることを希望する無線端末（例：無線端末Ａ２００）が属するマルチキャストグループの名称（マルチキャストグループアドレス）が付加されている。尚、マルチキャストグループとマルチキャストデータは１対１に対応しており、マルチキャストグループアドレスが分かれば、このグループに属する無線端末Ａ２００が配信を希望しているマルチキャストデータの特定ができる。ブロードキャスト用の場合、宛先アドレスの代わりに、ブロードキャスト用のパケットである旨を示す符号が付加されている。
【００１０】
ネットワーク制御装置１０３は、ＡＡＬ制御装置１０５から得たＩＰアドレスから宛先となる無線端末を特定し、その無線端末が自サービスエリアＳＡ２内に存在する場合には、このＩＰパケットを無線リンク制御装置１０２に送信する。マルチキャスト用の場合は、マルチキャストグループアドレスからマルチキャストグループを特定し、このグループに属する無線端末Ａ２００が自サービスエリアＳＡ２内に存在する場合に、このマルチキャストパケットを無線リンク制御装置１０２に送信する。
【００１１】
無線リンク制御装置１０２は、無線端末Ａ２００内の無線リンク制御装置２０２と同期をとって、これらのＩＰパケットを伝送するためのスケジュール管理や、周波数分割多元接続方式における無線周波数や時分割多元接続方式におけるタイムスロット等の無線リソースを各無線端末Ａ２００〜無線端末Ｃ２２０に割当てる管理、その他ハンドオーバ等の移動通信固有の制御を行う。
【００１２】
送受信装置１０１は、無線端末Ａ２００内の送受信装置２０１と同期を取って、無線リンク制御装置１０２からの信号を無線信号に変換し、無線端末Ａ２００に無線伝送する。
【００１３】
一方、無線端末Ａ２００では、無線基地局１００からの無線信号が送受信装置２０１及び無線リンク制御装置２０２で受信処理され、ＩＰパケットの復元が行われる。ネットワーク制御装置は２０３、このＩＰパケットからデータを抽出し、各種アプリケーションに送信する。各種アプリケーションは、このデータから画像やテキスト、音声等の復元を行う。
【００１４】
続いて、従来のマルチキャストシステムにおいてなされる制御シーケンスを説明する。
【００１５】
この制御シーケンスは、次の三つに大別される。
【００１６】
（１）無線線基地局から特定多数の無線端末に対してデータ配信を開始する際の制御シーケンス（図７参照）。
【００１７】
（２）無線線基地局から特定多数の無線端末に対してデータ配信している際の制御シーケンス（図８参照）。
【００１８】
（３）無線線基地局から特定多数の無線端末に対するデータ配信を終了する際の制御シーケンス例（図９参照）。
【００１９】
以下、上記制御シーケンスについて順を追って説明する。
（１）無線線基地局から特定多数の無線端末に対してデータ配信を開始する際の制御シーケンス（図７参照）の説明。
【００２０】
図７において、マルチキャストデータＡの配信を希望する無線端末Ａ２００は、グループアドレスとして「Ａ」を指定し、無線基地局１００に対してマルチキャストデータＡの配信を要求（配信要求（Ａ））する（Ｓ１０１）。この要求のための制御信号は、ＩＰパケット化されたユニキャスト信号である。無線基地局１００は、この要求信号を処理し、基幹網３００に対してマルチキャストデータＡの配信を要求する。該無線基地局１００は、希望のマルチキャストデータＡが基幹網３００から送られてくると、これを自サービスエリアＳＡ２内に報知（Ｓ１０２）する。
【００２１】
無線端末Ａ２００は、このマルチキャストデータＡの受信を開始する（▲１▼）。尚、無線端末Ｂ２１０のように、配信を希望する時点（▲２▼）で、既にマルチキャストデータＡが配信されている（Ｓ１０６・・・）場合には、配信要求（Ａ）（Ｓ１０８）を無線基地局１００へ送ると同時に、マルチキャストデータＡの受信（Ｓ１０９）を開始する（▲３▼）。また、無線基地局１００は、無線端末Ｃ２２０からの配信要求Ｂを受ける（Ｓ１１２）とマルチキャストデータＢを自サービスエリアＳＡ２内に報知（Ｓ１１３）し、無線端末Ｃ２２０は、このマルチキャストデータＢの受信を開始する（▲４▼）
また、無線基地局１００からは、定期的（Ｔｑ間隔）に、マルチキャストデータについて、配信を受けている全無線端末（この場合、マルチキャストグループを形成している全無線端末）に対し、配信を継続するか否かの「問合せ」が行われる。例えば、（Ｓ１０３）の「問合せ」では、配信を受けている無線端末は無線端末Ａ２００のみなので、該無線端末Ａに対し、配信を継続するか否かの「問合せ」が行われる。（Ｓ１０７）の「問合せ」では、配信を受けている無線端末はまだ無線端末Ａ２００のみなので、該無線端末Ａに対し、配信を継続するか否かの「問合せ」が再び行われる。（Ｓ１１５）の「問合せ」では、配信を受けている無線端末は無線端末Ａ２００〜無線端末Ｃ２２０なので、全無線端末Ａ２００〜Ｃ２２０に対し、配信を継続するか否かの「問合せ」が行われる。
【００２２】
上記のような「問合せ」を受けた無線端末は、この「問合せ」に対する応答を返す。本例では、上記（Ｓ１０３）と（Ｓ１０７）の「問合せ」に対する「応答」（Ｓ１０５）と（Ｓ１１０）が無線端末Ａ２００よりなされている。
【００２３】
尚、図７の例では、マルチキャストデータＡが各無線端末Ａ２００〜Ｃ２２０に対して所定タイミングで配信（Ｓ１０２、Ｓ１０４、Ｓ１０６、Ｓ１０９、Ｓ１１１、Ｓ１１４、Ｓ１１６）され、同様にマルチキャストデータＢが各無線端末Ａ２００〜Ｃ２２０に対して所定タイミングで配信（Ｓ１１３）されている。
【００２４】
（２）無線線基地局から特定多数の無線端末に対してデータ配信している際の制御シーケンス（図８参照）の説明。
【００２５】
図８において、マルチキャストデータを配信中の場合、上記（１）で説明したように、無線基地局１００から定期的（Ｔｑ間隔）に、全種類のマルチキャストデータについて、配信を受けている全無線端末Ａ２００〜Ｃ２２０（この場合、マルチキャストグループを形成している全無線端末）に対し、配信を継続するか否かを問合せる（Ｓ１２１）。この「問合せ」（Ｓ１２１）に対し、同一グループ（グループＡ：無線端末Ａ２００と無線端末Ｂ２１０が所属、グループＢ：無線端末Ｃ２２０のみ所属）の内、いずれか１台の無線端末が最初に無線基地局１００に対し応答を返したとする。本例では、無線端末Ｂ２１０が無線端末Ａ２００より先に応答を返す（Ｓ１２２）場合を示している。この応答を受信した無線基地局１００は、グループＡに対するマルチキャストデータＡの配信を継続する（Ｓ１２４）。また、この応答は、無線基地局１００で折り返され、自サービスエリアＳＡ２内に報知（Ｓ１２３）される。この折り返された応答を受信した無線端末Ａ２００は、応答することを取りやめる。
【００２６】
一方、無線端末Ｃ２２０は、同一グループに他の無線端末が存在しないため、無線端末Ｂ２１０と同様に、問合せに応答（応答Ｂ）する（Ｓ１２５）。同様に、この応答は、無線基地局１００で折り返され、自サービスエリアＳＡ２内に報知（Ｓ１２６）される。以降、マルチキャストデータＡとＢの配信が継続される（Ｓ１２７〜Ｓ１２９・・・）。
（３）無線線基地局から特定多数の無線端末に対するデータ配信を終了する際の制御シーケンス（図９参照）の説明。
【００２７】
図９において、無線端末Ａ２００及び無線端末Ｂ２１０はマルチキャストデータＡを受信中、無線端末Ｃ２２０はマルチキャストデータＢを受信中とする。
【００２８】
無線基地局１００からの「問合せ」は各無線端末Ａ２００〜Ｃ２２０に通知され（Ｓ１３１）、（Ｓ１３７）、無線端末Ｃ２２０のように、無線基地局１００からの「問合せ」（Ｓ１３１）の後でマルチキャストデータＢの受信を終了した場合（▲１▼）、無線端末Ｃ２２０は、その「問合せ」に対する応答を返さない。この場合、次の「問合せ」の時点までにマルチキャストデータＢ配信を希望する旨の応答がなされないため、無線基地局１００は、Ｔｑ時間が経過する間マルチキャストデータＢの配信を継続（Ｓ１３５）するが、該Ｔｑ時間経過後は、マルチキャストデータＢの配信を終了（▲３▼）する。同時に、無線基地局１００は基幹網３００に対し、マルチキャストデータＢの配信は不要である旨を伝える。一方、無線端末Ａ２００のようにマルチキャストデータＡが配信（Ｓ１３４）された後に該マルチキャストデータＡの受信を終了（▲２▼）しても、同一データ（マルチキャストデータＡ）を受信中の無線端末Ｂ２１０が存在すれば、この無線端末Ｂ２１０が無線基地局１００に対し応答（応答Ａ）（Ｓ１３２）する。このため、図８で説明したように、マルチキャストデータＡの配信は継続（Ｓ１３６、Ｓ１３８、Ｓ１３９・・・）される。無線基地局１００はこの応答（Ａ）に対する折り返しを自サービスエリアＳＡ２内の無線端末Ａ２００〜Ｃ２２０に対して報知（Ｓ１３３）する。
【００２９】
また、マルチキャストデータＡの配信は、マルチキャストデータＢと同様に、無線基地局１００からの問合せに対してＴｑ時間以上応答がなかった場合に終了（▲４▼）する。
【００３０】
【発明が解決しようとする課題】
しかしながら、上記従来のマルチキャストシステムでは、以下のような問題がる。図１０に示すように、無線基地局１００は、マルチキャストパケット（Ａ〜Ｈ）を垂れ流して配信しているためｔｓより受信を開始した無線端末（例：無線端末Ａ２００）は、途中から受信しているためデータの先頭部分（マルチキャストパケットＡ〜Ｃ）を受信できず、このため、過去に配信されたパケットの利用ができないという問題がある。
【００３１】
また、これらのマルチキャストパケット（Ａ〜Ｈ）がインターネット４００上から連続的に配信されると、無線基地局１００と無線端末Ａ２００〜Ｃ２２０との間の無線区間においても連続的にマルチキャストされることになる。しかしながら、移動通信環境における無線区間では、フェ−ジングや干渉等による電波伝搬条件の変動のため、無線伝送が困難になる時間帯が存在する。このため、この時間帯内に配信されたマルチキャストパケットは、上記無線端末Ａ２００〜Ｃ３２２０には届かないという問題がある。
【００３２】
また、移動通信システムでは、有線網を利用した有線通信システムと比べて伝送容量が限られているため、無線区間のトラヒックが輻輳し、無線リソースが不足した場合には、無線基地局１００まで届いたマルチキャストパケットを自サービスエリアＳＡ２内の無線端末Ａ２００〜Ｃ２２０に配信できないという問題がある。
【００３３】
更に、マルチキャストデータの中には、ユーザにとって不必要なコンテンツが含まれている場合がある。例えば、ユーザが最新映画の配信を希望し、無線端末Ａ２００（例）がこのデータの配信を受けるマルチキャストグループに属していたとする。しかしながら、ユーザに対して配信される最新映画の中には、該ユーザが観覧を希望しない映画が含まれている場合が多々ある。この場合、該ユーザにとって、観覧しない映画のコンテンツは不必要である。従来のマルチキャストシステムでは前述の通り、無線基地局１００と基幹網３００とを含む網側において、各無線端末Ａ２００〜Ｃ２２０の中でどの無線端末が、どのマルチキャストグループから、何時離脱したか管理できないため、マルチキャストグループの種類を予め定め、その定められたマルチキャストグループに属す権利を購入するという課金方法がとられている。従って、従来のマルチキャストシステムでの課金方法では、ユーザにとって不必要なコンテンツについても課金されることになり、ユーザの利益が図れないという問題がある。
【００３４】
そこで、本発明の第一の課題は、マルチキャスト配信サービスにおいて、無線端末にて過去に配信されたデータの利用が可能であり、また、電波伝搬条件の変動及び無線リソース不足に伴うデータの欠落防止が可能であり、更に、ユーザが利用したコンテンツに対する課金が可能なマルチキャスト配信サービスにおける配信制御方法及びシステムを提供することである。
【００３５】
また、本発明の第二の課題は、そのようなマルチキャスト配信サービスにおける配信制御方法に従って処理を行うことのできる配信制御装置を提供することである。
【００３６】
更に、本発明の第三の課題は、そのようなマルチキャスト配信サービスにおける配信制御方法に従って処理を行う無線端末を提供することである。
【００３７】
【課題を解決するための手段】
上記第一の課題を解決するため、本発明によれば、情報配信装置から無線区間を介してサービスエリア内の特定多数の無線端末に対してマルチキャスト情報を配信するマルチキャスト配信サービスにおける情報の配信制御方法において、無線端末は、情報配信装置から配信されたマルチキャスト情報を予め蓄積し、その蓄積されたマルチキャスト情報の識別を行うための識別情報を当該無線端末にて決定されたタイミングにて情報配信装置に通知し、情報配信装置は、無線端末から通知された上記識別情報に基づいてマルチキャスト情報の選別をし、該選別したマルチキャスト情報を無線端末に配信するように構成される。
【００３８】
このようなマルチキャスト配信サービスにおける配信制御方法では、情報配信装置から配信されるマルチキャスト情報が無線端末に予め蓄積され、その蓄積されたマルチキャスト情報を識別することのできる識別情報が情報配信装置に通知される。例えば、無線端末に蓄積されたマルチキャスト情報のなかから、あるコンテンツをユーザが利用した場合、ユーザにて利用されたコンテンツを識別することのできる識別情報が無線端末から情報配信装置に対して通知される。情報配信装置は、無線端末から通知された当該識別情報に基づいて配信するに適当なマルチキャスト情報を選別して自サービスエリア内の無線端末に配信する。
【００３９】
つまり、本発明によれば、無線端末からどのマルチキャスト情報を利用したかが情報配信装置に報告されるので、該情報配信装置は、自サービスエリア内で無線端末にて利用されているマルチキャスト情報の利用状況を掴むことができる。そのため、情報配信装置は、ユーザにて利用の見込まれるマルチキャスト情報だけを選別して無線端末に配信することができるので、マルチキャスト情報の配信に割当てる無線リソースを有効に利用することができるようになる。
【００４０】
また、無線端末では、情報配信装置から配信されるマルチキャスト情報を記憶しているので、該情報配信装置から配信されたマルチキャスト情報を先頭から利用でき、また過去に配信されたマルチキャスト情報を利用することができる。
【００４１】
上記情報配信装置は、無線区間を介してマルチキャスト情報の配信を行うものであれば、特に限定されず、無線端末と無線通信を行う無線基地局であっても、その無線基地局に接続される他の装置であっても、また、情報配信装置の機能を無線基地局と該無線基地局に接続される他の装置に分散させるようにしてもよい。
【００４２】
無線端末から情報配信装置に対して通知される上記識別情報によれば、上記配信制御方法において、上記識別情報は、上記マルチキャスト情報に含まれたコンテンツの識別を行うための識別子及びそのコンテンツが属するグループの識別を行うための識別子の少なくとも１つの識別子となるように構成される。
【００４３】
上記マルチキャスト情報によれば、配信制御方法において、上記マルチキャスト情報は、上記識別情報及びコンテンツの容量に関する情報及び課金に関する情報及びコンテンツの鮮度に関する情報の少なくとも１つを含むように構成される。
【００４４】
無線端末から無線基地局に対する上記識別情報の通知が任意のタイミングで行えるという観点から、本発明によれば、上記配信制御方法において、無線端末は、情報配信装置から配信されたマルチキャスト情報を蓄積し、その蓄積したマルチキャスト情報に含まれているコンテンツを利用する前及び利用した後の少なくとも一方のタイミングにて上記識別情報を情報配信装置に通知するように構成される。
【００４５】
自サービスエリア内での利用が予想されるマルチキャスト情報の選別が可能になるという観点から、本発明によれば、上記配信制御方法において、情報配信装置は、無線端末から通知された上記識別情報の統計をとり、その統計で得られた値を基に無線端末での利用頻度が高いとみなし得るマルチキャスト情報を選別するように構成される。
【００４６】
ユーザが利用を希望しているコンテンツの予約を行うことができるという観点から、本発明によれば、情報配信装置から無線区間を介してサービスエリア内の特定多数の無線端末に対してマルチキャスト情報を配信するマルチキャスト配信サービスにおける情報の配信制御方法において、無線端末は、情報配信装置から配信されたマルチキャスト情報を蓄積し、その蓄積したマルチキャスト情報に含まれているコンテンツの識別を行うための識別子及びそのコンテンツが属するグループの識別を行うための識別子の少なくとも１つの識別子を識別情報として予め登録し、その登録された当該識別情報を所定タイミングにて情報配信装置に通知し、情報配信装置は、無線端末から通知された上記識別情報に基づいてマルチキャスト情報の選別を行い、該選別されたマルチキャスト情報を無線端末に配信するように構成される。
【００４７】
コンテンツを提供する事業者側でユーザに配信する該コンテンツを選別して配信することができるという観点から、本発明によれば、情報配信装置から無線区間を介してサービスエリア内の特定多数の無線端末に対してマルチキャスト情報を配信するマルチキャスト配信サービスにおける情報の配信制御方法において、情報配信装置は、無線端末に配信すべきマルチキャスト情報に含まれるコンテンツの識別を行うための識別子及びそのコンテンツが属するグループの識別を行うための識別子の少なくとも１つの識別子を識別情報として登録し、その登録された上記識別情報に基づいてマルチキャスト情報の選別を行い、該選別されたマルチキャスト情報を無線端末に配信するように構成される。
【００４８】
配信するマルチキャスト情報のセキュリティを向上させることができるという観点から、本発明によれば、上記配信制御方法において、情報配信装置は、配信するマルチキャスト情報に含まれるコンテンツ毎または該コンテンツを含むマルチキャスト情報毎に暗号化を行い、上記無線端末から通知された上記識別情報に対応した鍵に係る情報を生成し、その生成した鍵に係る情報を当該暗号化された情報を復号するための鍵として無線端末に通知するように構成される。
【００４９】
生成した鍵を無効にすることができるという観点から、本発明によれば、上記配信制御方法において、上記情報配信装置は、上記生成した鍵に係る情報を所定時間経過後に無効にするように構成される。
【００５０】
また、上記同様な観点から、本発明によれば、上記配信制御方法において、上記情報配信装置は、上記生成した鍵に係る情報を無効にさせる制御信号に従って該生成した鍵に係る情報を無効にするように構成される。
【００５１】
暗号化解除のための鍵の発行時間に基づいた課金が行えるようになるという観点から、本発明によれば、上記配信制御方法において、上記情報配信装置は、無線端末から上記識別情報が通知された時間及び上記暗号化された情報の復号を行うための鍵に係る情報を無線端末に通知した時間の少なくとも1つの時間に基づいて無線端末で利用されたマルチキャスト情報の課金を行うように構成することができる。
【００５２】
このようなマルチキャスト配信サービスにおける配信制御方法では、情報配信装置は、暗号化解除のための鍵の発行に基づいた課金の実現が可能である。従って、本発明によれば、マルチキャスト情報のセキュリティを確保しつつ、ユーザが利用したコンテンツだけに課金を行うことができるので、ユーザでの利便性を向上させることができる。
【００５３】
マルチキャスト情報に含まれる課金情報に基づいて課金が行えるようになるという観点から、本発明によれば、上記配信制御方法において、上記情報配信装置は、マルチキャスト情報に含まれる課金情報に基づいて無線端末で利用されたマルチキャスト情報の課金を行うように構成される。
【００５４】
上記課金情報によれば、上記配信制御方法において、 上記課金情報は、課金形態に関する情報、課金するタイミングに関する情報、利用料金に関する情報の少なくとも１つを含むように構成される。
【００５５】
コンテンツの公開日時を基準に課金を行うことができるという観点から、本発明によれば、上記配信制御方法において、上記情報配信装置は、上記課金情報に基づいて課金を行う際に、マルチキャスト情報に含まれるコンテンツの鮮度に関する情報を参照し、その参照によって得られるコンテンツの公開日時に対応付けられた料金を表す情報に基づいて無線端末で利用されたマルチキャスト情報の課金を行うように構成される。
【００５６】
電波伝搬条件に応じてマルチキャスト情報の配信制御が行えるという観点から、本発明によれば、上記配信制御方法において、情報配信装置は、マルチキャスト情報を無線端末に配信する際に、電波伝搬条件に基づいて該マルチキャスト情報を配信するか否か決定するように構成される。
【００５７】
このようなマルチキャスト配信サービスにおける配信制御方法では、情報配信装置は、電波伝搬条件を判断してマルチキャスト情報を配信するので、電波伝搬条件不良によるマルチキャスト情報の欠落を防止することが可能となる。
【００５８】
トラヒックの輻輳状況に応じて、マルチキャスト情報の配信制御が行えるという観点から、本発明によれば、上記配信制御方法において、情報配信装置は、マルチキャスト情報を無線端末に配信する際に、無線リソースの空き具合に応じて該マルチキャスト情報を配信するか否か決定するように構成される。
【００５９】
このようなマルチキャスト配信サービスにおける配信制御方法では、情報配信装置は、マルチキャスト情報を配信する際に無線リソースの空き状況を判断してマルチキャスト情報を配信するので、無線リソース不足によるマルチキャスト情報の欠落を防止することができる。
【００６０】
また、電波伝搬条件及び無線リソースの空き具合に応じて配信するマルチキャスト情報の配信順位を変えることができるという観点から、本発明によれば、上記配信制御方法において、上記情報配信装置は、マルチキャスト情報を配信する際に、上記電波伝搬条件及び無線リソースの空き具合に応じて定められる伝送速度に従って上記マルチキャスト情報の配信順序を決定するように構成される。
【００６１】
また、同様に上記第一の課題を解決するため、本発明によれば、情報配信装置から無線区間を介してサービスエリア内の特定多数の無線端末に対してマルチキャスト情報を配信するマルチキャスト配信サービスにおける情報の配信制御システムにおいて、無線端末は、情報配信装置から配信されたマルチキャスト情報を予め蓄積するマルチキャスト情報記憶手段と、その蓄積されたマルチキャスト情報の識別を行うための識別情報を当該無線端末にて決定されたタイミングにて情報配信装置に通知する識別情報通知手段と、情報配信装置は、無線端末から通知された上記識別情報に基づいてマルチキャスト情報を選別する配信情報選別手段と、該選別したマルチキャスト情報を無線端末に配信するマルチキャスト情報配信手段とを有するように構成される。
【００６２】
更に、上記第二の課題を解決するため、本発明によれば、無線区間を介してサービスエリア内の無線端末に対してマルチキャスト情報を配信する情報配信装置に設けられ、情報の配信制御を行う配信制御装置において、上記情報配信装置は、無線端末から通知された識別情報に基づいてマルチキャスト情報を選別する配信情報選別手段と、該選別したマルチキャスト情報を無線端末に配信するように構成される。
【００６３】
また、更に、上記第三の課題を解決するため、本発明によれば、情報配信装置から無線区間を介して配信されるマルチキャスト情報を受信する受信する無線端末において、上記無線端末は、情報配信装置から配信されたマルチキャスト情報を予め蓄積するマルチキャスト情報記憶手段と、その蓄積されたマルチキャスト情報の識別を行うための識別情報を当該無線端末にて決定されたタイミングにて情報配信装置に通知する識別情報通知手段とを有するように構成される。
【００６４】
【発明の実施の形態】
以下、本発明の実施の形態を図面に基づいて説明する。
【００６５】
図１は、本発明の原理を説明するための図である。本発明のマルチキャスト配信サービスにおける配信制御方法が適用されるシステムでは、無線基地局（ＢＳ：Base station）1０は、インターネット４０から送出されるマルチキャスト情報（以下、マルチキャストデータという）を基幹網３０を介して受信すると、マルチキャスト配信サービスに基づいたマルチキャストデータをサービスエリアＳＡ１（無線ゾーン）内にパケット単位（Ａ〜Ｈ）にマルチキャスト配信する（▲１▼）。このサービスエリアＳＡ１に在圏する複数の無線端末Ａ５０、無線端末Ｂ５１、無線端末Ｃ５２は、無線基地局１０から配信されるマルチキャストデータをパケット単位に受信する。尚、本例では、各無線端末Ａ５０〜無線端末Ｃ５２は同じマルチキャストグループに属しているものと仮定して説明を行う。
【００６６】
続いて、本図を参照しながら、本発明のシステムの動作概要について説明をする。無線基地局１０は、インターネット４０上で提供されている多数のマルチキャストデータや、通信事業者が自らの基幹網３０（例：移動通信網）内で提供しているマルチキャストデータの中から、自サービスエリアＳＡ１内での利用が予想されるマルチキャストデータを選別し（具体的な選別方法は後述する）、該選別されたマルチキャストデータの配信を希望している無線端末Ａ５０〜無線端末Ｃ５２に配信する。これら無線端末Ａ５０〜無線端末Ｃ５２は、無線基地局１０より配信されたマルチキャストデータ（このマルチキャストデータの中にいくつかのコンテンツが含まれている）をそれぞれが内蔵する記憶装置５０Ａ、５１Ａ、５２Ａに蓄積する。本例では、無線端末Ａ５０が記憶装置５０Ａ、無線端末Ｂ５１が記憶装置５１Ａ、無線端末Ｃ５２が記憶装置５２Ａを内蔵する形態を例示しているが、上記記憶装置５０Ａ、５１Ａ、５２Ａを外部に設ける形態（外付けタイプの記憶装置）であってもよい。
【００６７】
本発明では、例えば、無線端末Ａ５０のユーザが上記マルチキャストデータに含まれる任意のコンテンツを利用した場合、該利用したコンテンツを識別する識別情報（以下、識別子という）及びそのコンテンツが含まれるマルチキャストデータの識別情報（以下、マルチキャストグループアドレスという）の少なくとも1つが無線端末Ａ５０から無線基地局１０に報告（利用データ報告）される。ここでは、無線端末Ａ５０のユーザが上記マルチキャストデータに含まれる任意のコンテンツを利用した後に、上記識別情報が該無線端末Ａ５０より無線基地局１０に報告（＝通知）される場合を例示したが、本発明は、これに限定されるものでなく、該無線端末Ａ５０のユーザが任意のコンテンツを利用する前、あるいは利用前後双方において上記識別情報を無線基地局１０に通知する形態であってもよい。
【００６８】
尚、ユーザが利用を希望するコンテンツが無線端末Ａ５０〜無線端末Ｃ５２の記憶装置５０Ａ〜５０Ｃに無い場合は、該無線端末Ａ５０〜無線端末Ｃ５２は、無線基地局１０に対し、所望のコンテンツを含むマルチキャストデータの配信を要求する。
【００６９】
上述したように本発明のシステムでは、マルチキャストデータに含まれるコンテンツを利用した無線端末からどのコンテンツを利用したかを識別するための通知が利用データ報告として無線基地局１０に対し報告される。無線基地局１０は、その利用データ報告から、自サービスエリアＳＡ１内に在圏する無線端末にて利用されたコンテンツを知ることができるので、利用が見込まれるコンテンツを含むマルチキャストデータのみを選別して配信することができるようになる。そのため、マルチキャストグループに参加する無線端末が一つもいないのにマルチキャストデータが配信されてしまうということの回避が可能になるので、無線基地局１０は、マルチキャストデータ配信のために割当てる無線リソースを有効に利用することができる。
【００７０】
また、本発明のシステムによれば、無線基地局１０から配信されたマルチキャストデータを各無線端末Ａ５０〜無線端末Ｃ５２にて内蔵される記憶装置５０Ａ〜５０Ｃに蓄積するようにしているので、ユーザは、無線基地局１０から配信されたマルチキャストデータを先頭から利用することができ、かつ何時でも希望とするマルチキャストデータを利用することができる。
【００７１】
更に、本システムでは、無線基地局１０と各無線端末Ａ５０〜無線端末Ｃ５２間とで同期が取られ、電波伝搬条件やトラヒック等の伝送路条件が良好であるときに限って無線基地局１０からのマルチキャストデータ配信がなされる。例えば、電波伝搬（＝伝送路）の状況を表すグラフ（▲２▼）中、伝送路の状況が『良』となっている時間帯では、マルチキャストパケット（Ａ〜Ｈ）が配信（▲３▼〜▲５▼）され、反対に、伝送路の状況が『悪』となっている時間帯では、マルチキャストパケットは配信されずに停止状態となる。また、無線基地局１０は、自らの空き無線リソースがあるときに限ってマルチキャストデータを配信するようにしている。
【００７２】
このように本発明のシステムでは、無線基地局１０は、伝送路の状況が良好、かつ無線リソースが不足していないときに限ってマルチキャストパケット（Ａ〜Ｈ）の配信を行う。その結果、各無線端末Ａ５０〜無線端末Ｃ５２では、電波伝搬条件の変動や無線リソース不足によるマルチキャストデータの欠落を防止することができる。
【００７３】
次に、本発明のシステムで用いられる無線基地局１０及び無線端末Ａ５０〜無線端末Ｃ５２の装置構成例を、それぞれ図２及び図３に示す。尚、無線端末Ａ５０〜無線端末Ｃ５２の装置構成は同一であるので、本例では、無線端末Ａ５０を代表にとり実施例の説明を行う。
【００７４】
図２において、無線基地局１０は、送受信装置１１と、無線リンク制御装置１２と、配信タイミング制御装置１３と、バッファメモリ１４と、ネットワーク制御装置１５と、該ネットワーク制御装置に内蔵されたマルチキャストデータ制御装置１５１と、ＡＴＭ送受信装置１６と、ＡＡＬ送受信装置１７とを具備して構成される。
【００７５】
図３において、無線端末Ａ５０は、送受信装置２１と、無線リンク制御装置２２と、配信タイミング制御装置２３と、ネットワーク制御装置２４と、該ネットワーク制御装置に内蔵されたマルチキャストデータ制御装置２４１と、記憶装置２５とを具備して構成される。
【００７６】
まず、図２を参照しながら無線基地局１０の動作概要について説明を行う。
【００７７】
基幹網３０から無線基地局１０に入力されたディジタル信号は、ＡＴＭ送受信装置１６及びＡＡＬ制御装置１７を経由し、インターネットプロトコルで規定さるＩＰパケットに復元される。このＩＰパケットには、送信元アドレスと宛先アドレスの二つのＩＰアドレスが付加されている。また、マルチキャストの場合には、宛先アドレスの代わりに、このＩＰパケットがマルチキャストパケットである旨を示す符号と、マルチキャストグループアドレスが付加されている。更に、ブロードキャストの場合は、同様にブロードキャストパケットである旨を示す符号が付加されている。ネットワーク制御装置１５は、ＩＰアドレスから宛先となる無線端末を特定し、自サービスエリアＳＡ１内にその無線端末が存在する場合に、このＩＰパケットを無線リンク制御装置１２へ送る。尚、マルチキャストパケットの場合は、マルチキャストグループアドレスよりマルチキャストグループを特定し、自サービスエリアＳＡ１内にこのグループに属する無線端末（例：無線端末Ａ２００）が存在する場合に、内蔵するマルチキャストデータ制御装置１５１にマルチキャストパケットを送信する。
【００７８】
マルチキャストデータ制御装置１５１は、無線端末Ａ５０内のマルチキャストデータ制御装置２４１と同期をとり、自サービスエリアＳＡ１内での利用が予想されるマルチキャストデータのみ選別し、マルチキャストパケットをバッファメモリ１４に送る。マルチキャストデータ制御装置１５１での具体的な動作例は、後述する。バッファメモリ１４はマルチキャストパケットのみ記憶し、蓄積する。この蓄積されたマルチキャストパケットは、記憶された時間順に無線リンク制御装置１２により読み出される。無線リンク制御装置１２は、無線端末Ａ５０内の無線リンク制御装置２２と同期をとって、このマルチキャストパケットを伝送するためのスケジュール管理や、無線リソースを各無線端末Ａ５０〜Ｃ５２に割当てる管理、その他ハンドオーバ等の移動通信固有の制御を行う。配信タイミング制御装置１３は、無線端末Ａ５０内の配信タイミング制御装置２３と同期を取って、マルチキャストデータを配信するタイミングを決定し、無線リンク制御装置１２に指示する。この配信タイミング制御装置１３の具体的な動作例は、後述する。送受信装置１１は、無線端末Ａ５０内の送受信装置２０と同期をとって、無線リンク制御装置１２からの信号を無線伝送する。
【００７９】
続いて、図３を参照しながら無線端末Ａ５０の動作概要について説明する。
【００８０】
無線端末Ａ５０では、無線基地局１０から送られてきた無線信号から、送受信装置２０及び無線リンク制御装置２２により、ＩＰパケットを復元する。ネットワーク制御装置２４は、このＩＰパケットからデータを取り出して各種アプリケーションに送る。しかし、上記ＩＰパケットがマルチキャストパケットの場合は、そのマルチキャストパケットをネットワーク制御装置２４が内蔵するマルチキャストデータ制御装置２４１に送る。マルチキャストデータ制御装置２４１は、全てのマルチキャストパケットを一旦、記憶装置２５に記憶する。無線端末Ａ５０ユーザが任意のコンテンツを利用する際、マルチキャストデータ制御装置２４１は、このコンテンツの復元に必要なマルチキャストパケットを記憶装置２５から読み出し、各種アプリケーションに送る。これと同時に、無線端末Ａ５０ユーザにて利用されたコンテンツを識別する識別子と、このコンテンツを含むマルチキャストデータのグループアドレスを、無線基地局１０内のマルチキャストデータ制御装置１５１に送る。尚、無線端末Ａ５０ユーザの所望コンテンツが、記憶装置２５に蓄積されていない場合、マルチキャストデータ制御装置２４１は、無線基地局１０内のマルチキャストデータ制御装置１５１に該所望のコンテンツを含むマルチキャストデータの配信要求を行う。各種アプリケーションは、マルチキャストデータ制御装置２４１から送られたマルチキャストパケットから画像やテキスト、音声等の復元を行う。
【００８１】
また、本発明の無線端末Ａ５０を画面の大きいＴＶ（Television）等に接続することで、ユーザは記憶装置２５に蓄積されたコンテンツを大画面にて鑑賞することができる。更に、無線端末Ａ５０をＡＣ電源に接続することでバッテリの残量不足から開放され、連続的にマルチキャスト情報の蓄積が可能になる。
【００８２】
次に、マルチキャストデータ制御装置１５１（無線基地局１０側）、２４１（無線端末Ａ側５０）での具体的な動作例について説明する。
【００８３】
この二つのマルチキャストデータ制御装置１５１、２４１は、互いに通信を行って次の三つの機能を実現する。
【００８４】
（１）無線基地局１０において、自サービスエリアＳＡ１内での利用が見込めるマルチキャストデータを選別する機能。
【００８５】
（２）無線端末Ａ５０において、無線基地局１０から配信されたマルチキャストデータの中から、ユーザ所望のマルチキャストデータを選択する機能。
【００８６】
（３）コンテンツ（マルチキャストデータは、このコンテンツが複数集められて構成される）毎に付加された識別子により、課金制御を行う機能。尚、この課金制御を行うためには、コンテンツ毎に識別子を付加する必要がある。このコンテンツ毎に識別子を付加する方法として、例えば、通信事業者自らが基幹網３０（例：移動通信網）にサーバを設置し、該通信事業者にて配信するコンテンツ毎に識別子を付加してマルチキャストサービスを行う場合や、ユーザが利用したコンテンツの識別子をインターネット上でマルチキャストサービスを行っている事業者（例：コンテンツ提供業者）に送るようにシステムを構成する場合等がある。後者の場合であれば、事業者でもコンテンツ毎の課金を行うことが可能である。
【００８７】
続いて上記（１）の機能について詳述する。
【００８８】
無線基地局１０側のマルチキャストデータ制御装置１５１は、マルチキャストパケットが入力されると、これに付加されているマルチキャストグループアドレスを認識し、自サービスエリアＳＡ１内での利用が予想されるマルチキャストデータを選別する。この選別のためには、次に示す方法のうち一つ、または複数組み合わせた方法を用いる。
【００８９】
（選別方法ａ）
無線端末Ａ５０内のマルチキャストデータ制御装置２４１は、ユーザが利用したマルチキャストデータのグループアドレスを送信内容としてＩＰパケット化し、マルチキャストデータの利用がユーザにてあった時点で、その利用のあったマルチキャストデータのグループアドレスを無線基地局１０内のマルチキャストデータ制御装置１５１に送る。無線基地局１０内のマルチキャストデータ制御装置１５１は、マルチキャストデータのグループアドレスの統計を取ってリストを作成し、自サービスエリアＳＡ１内で利用頻度の高いマルチキャストデータのグループアドレスと一致するマルチキャストデータを選別する。
【００９０】
この選別方法ａでは、無線端末Ａ５０ユーザが所望のマルチキャストデータを利用した時点で、該ユーザにて利用されたマルチキャストデータが無線基地局１０に報告される（利用データ報告）。無線基地局１０は、この無線端末Ａ５０から報告された利用データ報告に基づいて統計をとることで、自サービスエリアＳＡ１内で比較的利用頻度の高いマルチキャストデータの把握が可能となる。その結果、無線基地局１０は、自サービスエリア内ＳＡ１で利用見込みがないマルチキャストデータを配信しなくて済むようになるので、マルチキャストデータ配信に割当てられる無線資源の有効利用が可能になる。
【００９１】
（選別方法ｂ）
無線端末Ａ５０ユーザ所望のマルチキャストデータのグループアドレスを、無線端末Ａ５０内のマルチキャストデータ制御装置２４１に予め記憶させておき、無線端末Ａ５０の電源が投入された際に、この記憶されたマルチキャストデータのグループアドレスを送信内容としてＩＰパケット化して無線基地局１０内のマルチキャストデータ制御装置１５１に通知する。無線基地局１０内のマルチキャストデータ制御装置１５１は、無線端末Ａ５０から通知された上記マルチキャストデータのグループアドレスを記憶し、このアドレスに一致するマルチキャストデータを選別する。
【００９２】
このような選別方法ｂでは、無線端末Ａ５０ユーザが所望のマルチキャストグループアドレスを該無線端末Ａ５０内に予め登録しておき、電源投入のタイミングでその登録されたマルチキャストグループアドレスが無線基地局１０に対して通知されるようになっている。つまり、ユーザが所望のマルチキャストデータを利用する前に、マルチキャストデータのグループアドレスが無線基地局１０に報告される（利用データ報告）。無線基地局１０は、この無線端末Ａ５０から報告された利用データ報告に含まれるマルチキャストグループアドレスと一致するマルチキャストデータを選別することで、自サービスエリア内ＳＡ１で利用が見込まれるマルチキャストデータに絞って配信することができる。
【００９３】
その結果、無線基地局１０は、無線資源を有効に利用することができる。
【００９４】
（選別方法ｃ）
通信事業者が配信すべきと判断したマルチキャストデータのグループアドレスを無線基地局１０内のマルチキャストデータ制御装置１５１に入力する。マルチキャストデータ制御装置１５１は、該入力されたマルチキャストデータのグループアドレスに一致するマルチキャストデータを選別する。
【００９５】
このような選別方法ｃでは、通信事業者が配信すべきマルチキャストデータを自ら選別して無線端末Ａ５０に配信するようにしているので、自サービスエリア内ＳＡ１で利用見込みの少ないマルチキャストデータの配信を回避することができる。その結果、無線基地局１０は、無線資源を有効に利用することができる。
【００９６】
上記選別方法ａ〜ｃでは、自サービスエリアＳＡ１内での利用が予想されるマルチキャストデータを選別するために、マルチキャストデータのグループアドレスを用いたが、本発明はこれに限定されるものでなく、後述する（３）の機能で使用される識別子を用いてもよい。
【００９７】
以上、（１）の機能の説明と共にその機能によって得られる効果について説明を行った。
【００９８】
次に、上記（２）の機能について説明する。
【００９９】
無線端末Ａ５０内のマルチキャストデータ制御装置２４１は、この装置２４１を内蔵するネットワーク制御装置２４からのマルチキャストパケットを全て記憶装置２５に記憶する。マルチキャストデータ制御装置２４１は、無線端末Ａ５０ユーザが指定したマルチキャストグループアドレスと一致するマルチキャストパケットだけを記憶装置２５から読み出す。その読み出されたマルチキャストパケットは各種アプリケーションに送られる。各種アプリケーションは、マルチキャストデータ制御装置２４１から送られたマルチキャストパケットから画像やテキスト、音声等の復元を行う。尚、該ユーザが指定したマルチキャストグループアドレスと一致するマルチキャストパケットが記憶装置２５に蓄積されていなければ、マルチキャストデータ制御装置２４１は、無線リンク制御装置２２を経由して、無線基地局１０内のマルチキャストデータ制御装置１５１に対し、該ユーザ所望のマルチキャストデータを配信するように要求する。
【０１００】
上述したように、上記（２）の機能では、無線基地局１０から配信されたマルチキャストパケットが全て無線端末Ａ５０内の記憶装置２５に記憶され、ユーザの指定したタイミングにて該記憶装置２５に記憶された情報が読み出され各種アプリケーションによる利用が行えるようになっている。
【０１０１】
例えば、無線基地局１０から流れるように配信されたマルチキャストパケットを受け取る端から再生していくような（ストリーミング）従来の無線端末であれば、あるコンテンツの配信途中から受信したデータは、途中からしか利用できないが、本発明の無線端末Ａ５０では、無線基地局１０から配信されたマルチキャストパケットを全て無線端末Ａ５０内の記憶装置２５に記憶するようにしているので、データの先頭部分からの利用が可能であり（例：映画や音楽クリップ等の再生が最初から再生可能）、かつ過去に配信されたデータの利用もユーザの好きな時に利用することができる。
【０１０２】
尚、上記（２）の機能では、ユーザが所望のマルチキャストデータを選択するために、マルチキャストデータのグループアドレスを用いたが、本発明はこれに限定されるものでなく、後述する（３）の機能で使用される識別子を用いてもよい。
【０１０３】
以上、（２）の機能の説明と共にその機能によって得られる効果について説明を行った。
【０１０４】
更に、上記（３）の機能について説明を進める。
【０１０５】
本機能は、前述の通り、マルチキャストデータ、またはコンテンツを利用した無線端末Ａ５０ユーザへの課金のための機能である。
【０１０６】
本発明のシステムにおいて、該ユーザに課金を行う具体的な方法を次に示す。
【０１０７】
（課金方法ａ）
無線端末Ａ５０内のマルチキャストデータ制御装置２４１は、無線端末Ａ５０ユーザがコンテンツ、あるいはマルチキャストデータを利用する事前または事後、あるいはその双方で、識別子、あるいはマルチキャストグループアドレスを送信内容としてＩＰパケット化し、無線基地局１０内のマルチキャストデータ制御装置１５１に通知する。この無線基地局１０を管理している通信事業者は、上記マルチキャストデータ制御装置１５１に通知された上記識別子、あるいはマルチキャストグループアドレスを受取った時間に基づいて課金する。
【０１０８】
この課金方法ａでは、ユーザがコンテンツを利用する事前または事後、あるいはその双方で、ユーザにて利用されるコンテンツの識別を行うための識別情報（例：識別子、マルチキャストグループアドレス）が無線端末Ａ５０より無線基地局１０に送られる。無線基地局１０を管理している通信事業者は、上記識別情報を受信した時間に基づいた課金を行うことで、ユーザが利用したコンテンツだけに対して課金することができる。
【０１０９】
（課金方法ｂ）無線基地局１０からマルチキャストパケットを配信する際に、これらのパケットを暗号化しておく。無線端末Ａ５０内のマルチキャストデータ制御装置２４１は、該無線端末Ａ５０のユーザがコンテンツ、あるいはマルチキャストデータを利用する事前に、識別子、あるいはマルチキャストグループアドレスを送信内容としてＩＰパケット化し、無線基地局１０内のマルチキャストデータ制御装置１５１に通知する。無線基地局１０内のマルチキャストデータ制御装置１５１は、無線端末Ａ５０から通知された識別子、あるいはマルチキャストグループアドレスに対応した暗号化解除のための鍵をＩＰパケット化して、無線端末Ａ５０内のマルチキャストデータ制御装置２４１に送る。マルチキャストデータ制御装置２４１は、記憶装置２５から読み出したマルチキャストパケットについて、無線基地局１０内のマルチキャストデータ制御装置１５１から送られた暗号化解除のための鍵を用いて暗号化を解除する。通信事業者は、暗号化解除のための鍵を無線基地局１０が発行したことに対して、ユーザに課金する。
【０１１０】
この課金方法ｂでは、無線基地局１０から配信されるマルチキャストデータが暗号化されて配信される。無線端末Ａ５０は、無線基地局１０に対し、利用希望するマルチキャストデータの報告（利用データ報告）をし、上記利用希望するマルチキャストデータの暗号化を解除するための鍵を当該無線基地局１０から取得しなければ所望のマルチキャストデータを利用することができないようになっている。
【０１１１】
無線基地局１０を管理している通信事業者は、上記暗号化を解除するための鍵の発行に基づいた課金を行うことで、ユーザに対するマルチキャストデータ配信の安全性が保たれ、かつユーザが利用したコンテンツだけに課金することができる。
【０１１２】
（課金方法ｃ）
情報配信装置から配信されるマルチキャスト情報には、コンテンツを識別する識別子とそのコンテンツが属するグループを識別する識別子の他に課金に関する情報（課金情報）が含まれている。この課金情報には、例えば、ユーザに配信するコンテンツ毎の▲１▼課金形態、▲２▼課金タイミング、▲３▼利用料金を指定する情報が含まれている。
【０１１３】
例えば、課金対象となるコンテンツをコンテンツＡ（例：株価動向情報）とし、該コンテンツＡに対する上記▲１▼~▲３▼が以下のように指定されたものとする。
【０１１４】
▲１▼  課金形態：「初回のみ」
▲２▼  課金タイミング：暗号化された情報の解除を行うための「鍵の発行時」
▲３▼  利用料金：「\５０」
このような場合、通信事業者あるいはコンテンツ提供業者は、コンテンツＡを利用するユーザに対し、初回のみ\５０を負担してもらう課金を実現できるようなる。
【０１１５】
また、他の例として、課金対象となるコンテンツをコンテンツＢ（例：最新米映画ビデオ版）とし、そのコンテンツＢに対する上記▲１▼~▲３▼が以下のように指定されたものとする。
【０１１６】
▲１▼  課金形態：「1回利用毎」
▲２▼  課金タイミング：「鍵の発行時」
▲３▼  利用料金：「\３００」
このような場合、通信事業者あるいはコンテンツ提供業者は、コンテンツＢを利用するユーザに対し、該コンテンツＢを１回利用する毎に\３００を負担してもらう課金を実現できるようなる。
【０１１７】
更に、他の例として、課金対象となるコンテンツをコンテンツＣ（米映画２０００年ビデオ版）とし、そのコンテンツＣに対する上記▲１▼~▲３▼が以下のように指定されたものとする。
【０１１８】
▲１▼  課金形態：「利用時間」
▲２▼  課金タイミング：「鍵の発行時」
▲３▼  利用料金：２時間まで「\１００」
１日まで「\２００」
１週間まで「\３００」
１ヶ月まで「\５００」
このような場合、通信事業者あるいはコンテンツ提供業者は、コンテンツＣを利用するユーザに対し、該コンテンツＣの利用時間に応じた料金をユーザにて負担してもらう課金を実現できるようなる。
【０１１９】
また、本発明では、上記のような課金を行う際に、マルチキャスト情報に含まれる鮮度情報が参照される。この鮮度情報とは、コンテンツの公開日を基準日とし、その基準日からの経過時間に応じた所定額を上記利用料料金から割引くために用いられる。例えば、リリース直後（経過時間がリリース日から１日未満の場合）の最新版ビデオの配信を受けユーザが鑑賞するような場合、上記利用料金に対する割引額は「\０」であるが、リリース後、１ヶ月以上経過したビデオをユーザが配信を受け鑑賞した場合、その経過時間に応じた割引額が上記利用料金から差引かれるようになっている。
【０１２０】
このように課金方法ｃでは、通信事業者あるいはコンテンツ提供業者は、提供するコンテンツ（例：株価動向情報など）を考慮して上記▲１▼~▲３▼を決めることでユーザに対するコンテンツ課金に柔軟生を持たせることができる。その結果、ユーザに対してきめ細かい料金体系にてマルチキャスト情報サービスを提供することが可能になる。
【０１２１】
以上、（３）の機能の説明と共にその機能によって得られる効果について説明を行った。
【０１２２】
次に、配信タイミング制御装置１３（無線基地局１０側）、２３（無線端末Ａ５０側）での動作例について説明する。本発明では、これら無線基地局１０側と無線端末Ａ５０側の配信タイミング制御装置２３が相互に通信を行い無線基地局１０から配信されるマルチキャストパケット配信タイミングが制御される。
【０１２３】
以下、具体的な処理手順を図４を参照しながら説明する。
【０１２４】
図４において、無線基地局１０において、バッファメモリ１４から無線リンク制御装置１２へマルチキャストパケットが入力されると、無線リンク制御装置１２はマルチキャストパケットの有無判定（Ｓ１）を行い、その判定（Ｓ１）結果を配信タイミング制御装置１３に通知する。このマルチキャストパケット有無判定（Ｓ１）で、マルチキャストパケットが有りと判定された場合（Ｓ１で有）は次の処理に移行するが、該判定（Ｓ１）でマルチキャストパケット無しと判定された場合（Ｓ１で無）は、マルチキャストパケットの到着待ち状態となる。
【０１２５】
配信タイミング制御装置１３は、無線リンク制御装置１２からマルチキャストパケット有りとの判定結果（Ｓ１で有）を得た場合、無線リンク制御装置１２を介して無線端末Ａ５０内の配信タイミング制御装置２３に電波伝搬特性（例：電界強度や受信強度など）や誤り率の測定を指示（Ｓ２）する。無線端末Ａ５０内の配信タイミング制御装置２３は、送受信装置２１から必要な情報（無線端末Ａ５０側で測定される電界強度や誤り率の測定結果）を取得して、無線基地局１０内の配信タイミング制御装置１３に通知する。尚、無線端末Ａ５０側で測定される電界強度や誤り率は、従来のシステムにおいて行われており、本機能を本配信タイミング制御装置２３で実施するのは容易である。
【０１２６】
無線基地局１０内の配信タイミング制御装置１３は、無線端末Ａ５０から通知された上記情報に基づいて電波伝搬条件が良好であるか否かを判定（Ｓ３）し、この判定（Ｓ３）で電波伝搬条件が良好でないと判断（Ｓ３でＮＧ）されたときは、無線リンク制御装置１２へマルチキャストパケットの配信を待機するよう指示（Ｓ７）する。尚、マルチキャストパケットの配信待機中のときは、待機指示されたマルチキャストパケットは、バッファメモリ１４に蓄積される。
【０１２７】
一方、上記判定（Ｓ３）で、電波伝搬条件が良好であると判定（Ｓ３でＯＫ）されたときは、配信タイミング制御装置１３は無線リンク制御装置１２に対し、空きの無線リソースの有無を問合せる（Ｓ４）。無線リンク制御装置１２は、該問合せ（Ｓ４）に基づいて空きの無線リソースがあるか否かを判定（Ｓ５）し、判定結果を配信タイミング制御装置１３に通知する。配信タイミング制御装置１３は、無線リンク制御装置１２から通知された判定結果で、空き無線リソースが無との判定結果を得た場合（Ｓ５で無）は、該無線リンク制御装置１２に対し、マルチキャストパケットの配信を待機するように指示（Ｓ７）する。この場合、配信タイミング制御装置１３は、再度、電界強度や誤り率の測定を指示し、その測定結果で電波伝搬条件が良好であるとの結果（Ｓ３でＯＫ）を得たときに無線リソースに空きがあれば（Ｓ５で有）、マルチキャストパケットの配信を無線リンク制御装置１２に指示する。このようにして無線リンク制御装置１２にマルチキャストパケットの配信指示が伝達されると、送受信装置１１より所定のマルチキャストパケットの配信が開始される（Ｓ６）。
【０１２８】
このように、本発明の配信タイミング制御装置１３、２３では、配信対象となるマルチキャストパケットがあった際に、即配信するのでなく、電波伝搬条件や無線リソースの空き具合を判断してから該マルチキャストパケットの配信がなされるよう配信タイミングの制御が行われる。従って、電波伝搬条件が悪い状況のときや無線リソースが不足しているときにマルチキャストパケットが配信されるのを防ぐことができるので、マルチキャストパケットの欠落を事前に防止することが可能となる。
【０１２９】
また、電波伝搬条件と空無線リソースの空き具合からマルチキャストパケットの伝送速度を決めることができる。例えば、電波伝搬条件が極めて良好な状態で、かつ空き無線リソースが最高速度以下にて伝送することのできるリソースが確保されているような場合、マルチキャストパケットは最高速度にて伝送することができる。このような場合、本発明の配信タイミング制御装置１３、２３は、大容量のコンテンツを優先して配信するよう配信順序の変更を行う。一方、電波伝搬条件が極めて劣悪な状態で、かつ空き無線リソースが最低速度にて伝送することのできるリソースが確保されているような場合、マルチキャストパケットは最低速度にて伝送することができる。このような場合、本発明の配信タイミング制御装置１３、２３は、小容量のコンテンツを優先して配信するよう配信順序の変更を行う。
【０１３０】
このように本発明の配信タイミング制御装置１３、２３では、電波伝搬条件と空き無線リソースの状況に基づいて求められる伝送速度に応じてコンテンツの配信順序を制御している。その結果、コンテンツの配信を効率良く配信することができる。
【０１３１】
これまで説明してきたように、本発明のシステムによれば、マルチキャストデータを無線端末Ａ５０において蓄積できるので、常にデータの先頭から利用でき、また過去に配信されたデータも利用することができる。
【０１３２】
また、無線基地局１０は電波伝搬条件や無線リソースの空き状況を判断してマルチキャストデータを配信できるので、電波伝搬条件の変動や無線リソース不足によるマルチキャストデータの欠落を防止することができる。更に、無線端末Ａ５０が電波伝搬条件の比較的よい場所に固定的に設置されていれば、電波伝搬条件の劣化による影響が少なくなることから長時間所望受信電力を得ることができるので安定的にマルチキャスト情報を蓄積することができる。
【０１３３】
また、更に、ユーザが利用したコンテンツだけに課金することができるようになるので、ユーザの利益を図ることができる。
【０１３４】
上記例において、マルチキャストデータ制御装置２４１を含むネットワーク制御装置及び配信タイミング制御装置１３は、本発明の実施例では、情報配信装置として無線基地局１０内に備えられる形態を示したが、システムの構成はこれに限られず、該情報配信装置が無線基地局１０の外部に設けられてもよい。尚、本実施例においては、無線基地局１０が情報配信装置に対応している。
【０１３５】
無線端末Ａ５０の記憶装置２５の情報記憶機能がマルチキャスト情報記憶手段、に対応し、マルチキャストデータ制御装置２４１の識別情報送出機能が識別情報通知手段に、また同装置２４１の識別情報送信タイミング設定機能が識別情報通知設定手段に、記憶装置２５の識別情報登録機能が識別情報予約手段に対応する。
【０１３６】
無線基地局１０のマルチキャストデータ制御装置１５１のマルチキャストデータ選別機能が配信情報選別手段に、送受信装置１１の情報送信機能が情報配信手段に対応する。また同装置１５１のマルチキャストグループ統計機能が識別情報統計手段および統計結果利用手段に、バッファ１４の識別情報記憶機能が識別情報自己登録手段に、送受信装置１１のデータ暗号化機能が配信情報暗号化手段、鍵生成機能が鍵生成手段に、鍵情報送信機能が鍵情報通知手段に、同装置１１の鍵情報削除機能が第1の鍵無効手段及び第２の鍵無効手段に対応する。更に、ネットワーク制御装置１５の課金情報送出機能が第一及び第三の課金処理手段に、配信タイミング制御装置１３の配信判定機能が第一の配信決定手段と第二の配信決定手段に、また同配信タイミング制御装置１３の配信制御機能が配信順序制御手段に対応する。
【０１３７】
【発明の効果】
以上、説明したように、請求項１乃至３４記載の本願発明によれば、無線基地局は、無線端末から得られる利用データ報告から自サービスエリア内での利用が見込まれるマルチキャストデータのみを選別し、電波伝搬条件が良好、かつ無線リソースの空きがあるときに限って該マルチキャストデータを配信する。その結果、無線リソースをできるだけ有効に利用することのできるマルチキャスト配信サービスにおける配信制御方法及びシステムを実現することができるようになる。
【０１３８】
また、無線端末では、無線基地局から配信されたマルチキャストデータが蓄積されるので、常にデータの先頭から利用でき、また、過去に配信されたデータを利用することのできるマルチキャスト配信サービスにおける配信制御方法及びシステムを実現することができるようになる。
【０１３９】
更に、ユーザが利用したコンテンツだけに課金できるので、ユーザの利益を図ることのできるマルチキャスト配信サービスにおける配信制御方法及びシステムを実現することができるようになる。
【０１４０】
また、請求項３５乃至４６記載の本願発明によれば、上記配信制御方法に従って処理を行う配信制御装置を提供することができる。
【０１４１】
更に、請求項４７乃至４９記載の本願発明によれば、上記配信制御方法に従って処理を行う無線端末を提供することができる。
【図面の簡単な説明】
【図１】本発明の原理を説明するための図である。
【図２】本発明の無線基地局のブロック図である。
【図３】本発明における無線端末のブロック図である。
【図４】配信タイミング制御装置（無線基地局側、無線端末側）での処理手順の一例を示すフローチャートである。
【図５】従来の無線基地局のブロック図を示す図である。
【図６】従来の無線端末のブロック図を示す図である。
【図７】従来のマルチキャストシステムの配信開始の動作を示すシーケンス図である。
【図８】従来のマルチキャストシステムの配信中の動作を示すシーケンス図である。
【図９】従来のマルチキャストシステムの配信終了の動作を示すシーケンス図である。
【図１０】従来のマルチキャストシステムの動作概要を示す図である。
【符号の説明】
１０、１００  無線基地局
１０Ａ  バッファ
１１、２１、１０１、２０１  送受信装置
１２、２２、１０２、２０２  無線リンク制御装置
１３、２３  配信タイミング制御装置
１４  バッファメモリ
１５、２４、１０３、２０３  ネットワーク制御装置
１５１、２４１  マルチキャストデータ制御装置
１６、１０４  ＡＴＭ送受信装置
１７、１０５  ＡＡＬ処理装置
２５  記憶装置
３０、３００  基幹網
４０、４００  インターネット
５０、２００  無線端末Ａ
５０Ａ  記憶装置
５１、２１０  無線端末Ｂ
５１Ａ  記憶装置
５２、２２０  無線端末Ｃ
５２Ａ  記憶装置
ＳＡ１、ＳＡ２  サービスエリア
【図１】
0003954328.tif 000002
【図２】
0003954328.tif 000003
【図３】
0003954328.tif 000004
【図４】
0003954328.tif 000005
【図５】
0003954328.tif 000006
【図６】
0003954328.tif 000007
【図７】
0003954328.tif 000008
【図８】
0003954328.tif 000009
【図９】
0003954328.tif 000010
【図１０】
0003954328.tif 000011